(57)【要約】      （修正有）【課題】構造を簡単にでき、小型化および軽量化を図り、シートに容易に取り付け取り外しでき、簡単にセットできて使い易くし、荷崩れを防止でき、狭いスペースに格納でき、そして、廉価に製作可能にする。【解決手段】ロック溝１６と、荷物固定ロッド１１と、フロント・プレート１２と、リア・プレート１３と、荷物固定ロッド１１のそのロック溝１６に差し込み引き抜き可能にされるロック１７、下端でそのロック１７に連結されてそのリア・プレート１３に上下動可能に支持される操作ロッド１８、およびその操作ロッド１８の上端に固定的に取り付けられてそのロック溝１６にそのロック１７を差し込み引き抜きするグリップ１９から組み立てられるリア・プレート・ロック１４と、その荷物固定ロッド１１の後端に上下方向に揺動可能にヒンジ結合されるチャイルド・シート・ロック１５とを含む。【選択図】        図１
2004248977.tif 000002
【特許請求の範囲】
【請求項１】
長さ方向に伸びて開口されるロック溝を有し、そして、そのロック溝を上に位置させてシート・クッション上に前後方向に伸びて配置される荷物固定ロッドと、その荷物固定ロッドの先端に起立されて固定的に支持されるフロント・プレートと、その荷物固定ロッド上に起立されて前後に摺動可能に支持され、そして、そのフロント・プレートに近づけ遠ざけてそのフロント・プレートに荷物を挟み付けるリア・プレートと、その荷物固定ロッドのそのロック溝に差し込み引き抜き可能にされるロック、下端でそのロックに連結されてそのリア・プレートに上下動可能に支持される操作ロッド、およびその操作ロッドの上端に固定的に取り付けられてそのロック溝にそのロックを差し込み引き抜きするグリップから組み立てられるリア・プレート・ロックと、その荷物固定ロッドの後端に上下方向に揺動可能にヒンジ結合されるチャイルド・シート・ロックとを含むところのチャイルド・シート・アンカー付きシートに用いる荷物固定具。
【発明の詳細な説明】
【０００１】
【発明の関係する分野】
この発明は、自動車シートに取り外し可能に取り付けられ、そして、シート・クッション上に荷物を固定可能にするところのチャイルド・シート・アンカー付きシートに用いる荷物固定具に関する。
【０００２】
【背景技術】
乗用車は、しばしばリア・シート上に荷物を置いて走行される。その乗用車が走行時、急制動されたり、また、急旋回されると、その荷物がそのリア・シートから転がり落ちたり、また、左右に移動されて荷崩れを生ずる。従来は、そのような荷崩れのために荷物収納箱が提案されている。その荷物収納箱は、そのリア・シートに取り外し可能に取り付けられる底枠、その底枠に折りたたみ可能に組み付けられる左右の側板、およびその左右の側板間に取り外し可能に張られる前後のネットなどから組み立てられるので、構造が複雑で大型化され、重量が増加されて重くなり、組立て折りたたみが厄介で、また、その種の荷物収納箱は広い格納スペースを必要とする。
【０００３】
【発明の課題】
この発明の課題は、構造を簡単にでき、小型化および軽量化を図り、シートに容易に取り付け取り外しでき、簡単にセットできて使い易くし、荷崩れを防止でき、狭いスペースに格納でき、そして、廉価に作れるところのチャイルド・シート・アンカー付きシートに用いる荷物固定具の提供にある。
【０００４】
【課題に相応する手段およびそれの作用】
この発明は、長さ方向に伸びて開口されるロック溝を有し、そして、そのロック溝を上に位置させてシート・クッション上に前後方向に伸びて配置される荷物固定ロッドと、その荷物固定ロッドの先端に起立されて固定的に支持されるフロント・プレートと、その荷物固定ロッド上に起立されて前後に摺動可能に支持され、そして、そのフロント・プレートに近づけ遠ざけてそのフロント・プレートに荷物を挟み付けるリア・プレートと、その荷物固定ロッドのそのロック溝に差し込み引き抜き可能にされるロック、下端でそのロックに連結されてそのリア・プレートに上下動可能に支持される操作ロッド、およびその操作ロッドの上端に固定的に取り付けられてそのロック溝にそのロックを差し込み引き抜きするグリップから組み立てられるリア・プレート・ロックと、その荷物固定ロッドの後端に上下方向に揺動可能にヒンジ結合されるチャイルド・シート・ロックとを含み、そして、そのチャイルド・シート・ロックでチャイルド・シート・アンカー付きシートに簡単に取り付けられ、そのリア・プレート・ロックを解除しながらその荷物固定ロッド上にそのリア・プレートを摺動させてそのフロント・プレートに荷物を挟み付け、そして、再びそのリア・プレート・ロックを施錠してそのシートのシート・クッション上にその荷物を固定する。また、この発明は、そのチャイルド・シート・アンカーからそのチャイルド・シート・ロックを簡単に取り外して自動車の適宜の狭いスペースに格納可能にする。
【０００５】
【具体例の説明】
以下、特定されて図示された具体例に基づいて、この発明のチャイルド・シート・アンカー付きシートに用いる荷物固定具を説明するに、図１ないし図４は、乗用車のチャイルド・シート・アンカー付きリア・シートに活用されるところのこの発明のチャイルド・シート・アンカー付きシートに用いる荷物固定具の具体例１０、１０を示し、そして、その荷物固定具１０、１０では、荷物固定ロッド１１が、長さ方向に伸びて開口されるロック溝１６を有し、そして、そのロック溝１６を上に位置させてシート・クッション３１上に前後方向に伸びて配置され、また、フロント・プレート１２が、その荷物固定ロッド１１の先端に直交する方向に起立されて固定的に支持され、さらに、リア・プレート１３が、その荷物固定ロッド１１上に直交する方向に起立されて前後に摺動可能に支持され、そして、そのフロント・プレート１２に近づけ遠ざけてそのフロント・プレート１２に荷物４０を挟み付け、またさらに、リア・プレート・ロック１４が、その荷物固定ロッド１１のそのロック溝１６に差し込み引き抜き可能にされるロック１７、下端でそのロック１７に連結されてそのリア・プレート１３に上下動可能に支持される操作ロッド１８、およびその操作ロッド１８の上端に固定的に取り付けられてそのロック溝１６にそのロック１７を差し込み引き抜きするグリップ１９から組み立てられ、さらには、チャイルド・シート・ロック１５が、その荷物固定ロッド１１の後端に上下方向に揺動可能にヒンジ結合される。
【０００６】
そのリア・プレート・ロック１４は、そのリア・プレート１３の後側板面にロッド・ガイド２０を取り付け、そして、そのロッド・ガイド２０にその操作ロッド１８を上下動可能に支持させる。また、そのグリップ１９はそのリア・プレート１３のその後側板面の上方位置に上下に摺動可能に組み付けられてその操作ロッド１８の上端に連結される。
【０００７】
そのチャイルド・シート・ロック１５はそのリア・シート３０のチャイルド・シート・アンカー（図示せず）、すなわち、ＩＳＯ−ＦＩＸ（ＩＳＯ規格に基づくチャイルド・シート・アンカー・バー）に掛け外しされるキャッチ・デバイスの構造を採り、そして、ナックル２１でその荷物固定ロッド１１のその後端に上下方向に揺動可能にヒンジ結合される。
【０００８】
そのリア・シート３０は、そのシート・クッション３１、左右のシート・バック３２、３３、センター・バック３４、および左右のヘッドレスト３５、３６から組み立てられ、そして、その左右のシート・バック３２、３３のそれぞれのボトムに一対のチャイルド・シート・ロック差し込み溝３７、３７を所定の間隔を置いて形成している。そのチャイルド・シート・アンカーは、そのシート・クッション３１の着座面の後方部分からその差し込み溝３７、３７および３７、３７に対応的に突き出している。
【０００９】
したがって、荷物固定具１０、１０は、そのチャイルド・シート・ロック１５、１５をその左右のシート・バック３２、３３のそのセンター・バック３４寄りのその差し込み溝３７、３７に対応的に差し込んでそのチャイルド・シート・アンカーにかみ合わせてそのシート・クッション３１上に左右方向に並べて配置される。次に、その荷物４０がそのフロント・プレート１２、１２とそのリア・プレート１３、１３との間でその荷物固定ロッド１１、１１の間に渡されて置かれる。引き続いてそのリア・プレート・ロック１４、１４を解除しながらその荷物固定ロッド１１、１１上にそのリア・プレート１３、１３を摺動させてそのフロント・プレート１２、１２にその荷物４０、すなわち、箱詰め荷物４０を挟み付け、そして再び、そのリア・プレート・ロック１４、１４を施錠してそのシート・クッション３１上にその箱詰め荷物４０を固定する。
【００１０】
そのように、その箱詰め荷物４０は、その荷物固定具１０、１０でそのリア・シート３０のそのシート・クッション３１上に固定されるので、その乗用車が走行中に急制動されたり、急旋回されてもそのシート・クッション３１から転がり落ちたり、また、そのシート・クッション３１上に左右の移動される荷崩れが未然に回避される。また、その荷物固定具１０、１０は、構造を簡単にでき、小型化および軽量化され、シートに容易に取り付け取り外しでき、簡単にセットできて使い易く、そして、廉価に製作できて狭いスペースに格納可能である。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明のチャイルド・シート・アンカー付きシートに用いる荷物固定具は、長さ方向に伸びて開口されるロック溝を有し、そして、そのロック溝を上に位置させてシート・クッション上に前後方向に伸びて配置される荷物固定ロッドと、その荷物固定ロッドの先端に起立されて固定的に支持されるフロント・プレートと、その荷物固定ロッド上に起立されて前後に摺動可能に支持され、そして、そのフロント・プレートに近づけ遠ざけてそのフロント・プレートに荷物を挟み付けるリア・プレートと、その荷物固定ロッドのそのロック溝に差し込み引き抜き可能にされるロック、下端でそのロックに連結されてそのリア・プレートに上下動可能に支持される操作ロッド、およびその操作ロッドの上端に固定的に取り付けられてそのロック溝にそのロックを差し込み引き抜きするグリップから組み立てられるリア・プレート・ロックと、その荷物固定ロッドの後端に上下方向に揺動可能にヒンジ結合されるチャイルド・シート・ロックとを含むので、この発明のチャイルド・シート・アンカー付きシートに用いる荷物固定具では、構造が簡単にでき、小型化および軽量化が図られ、チャイルド・シート・アンカー付きシートに容易に取り付け取り外しでき、簡単にセットできて使い易く、荷物がそのシートのシート・クッション上に固定できて自動車が走行中に急制動されたり、急旋回されても荷崩れを回避され、そして、廉価に製作できて狭いスペースに格納でき、その結果、乗用車、ワゴン、およびバンなどにとって非常に有用で実用的である。
【図面の簡単な説明】
【図１】乗用車のチャイルド・シート・アンカー付きリア・シートに活用されるところのこの発明のチャイルド・シート・アンカー付きシートに用いる荷物固定具の具体例を示した斜視図である。
【図２】その荷物固定具を示した側面図である。
【図３】リア・プレート・ロックの施錠状態でリア・プレートを示した背面図である。
【図４】そのリア・プレート・ロックの解錠状態でそのリア・プレートを示した背面図である。
【符号の説明】
１１  荷物固定ロッド
１２  フロント・プレート
１３  リア・プレート
１４  リア・プレート・ロック
１５  チャイルド・シート・ロック
１６  ロック溝
１７  ロック
１８  操作ロッド
１９  グリップ
２０  ロッド・ガイド
３０  リア・シート
３１  シート・クッション
３２  左のシート・バック
３３  右のシート・バック
３４  センター・バック
３７  チャイルド・シート・ロック差込み溝
４０  荷物／箱詰め荷物
【図１】
2004248977.tif 000003
【図２】
2004248977.tif 000004
【図３】
2004248977.tif 000005
【図４】
2004248977.tif 000006